(57)【要約】方法は、ディスプレイスクリーン上に表示される少なくとも１つのウィンドウのサイズ、および少なくとも１つのウィンドウに表示される異なるコンテンツカテゴリのうちのそれぞれ１つについてのコンテンツオプションの数を決定すること（４１０）を含む。少なくとも１つのウィンドウのサイズ、およびそのウィンドウの中に表示されるコンテンツオプションの数が、それぞれのコンテンツカテゴリのうちの対応する１つについてのユーザ選好の増加するレベルに応答して増加するように、サイズおよびコンテンツオプションの数は、それぞれのコンテンツカテゴリについてのユーザ選好のインジケーションに応答して決定される。この方法は、少なくとも１つのウィンドウを含む複数のウィンドウを、ディスプレイスクリーン上に表示すること（４２０）をさらに含み、複数のウィンドウの各々は、異なるコンテンツカテゴリのうちのそれぞれ１つに対応する。少なくとも１つのウィンドウは、決定されたサイズおよび決定された数のコンテンツオプションで表示される。方法はまた、メモリデバイスから、それぞれのコンテンツカテゴリについてのユーザ選好の更新されたインジケーションにアクセスすること（４３０）を含む。更新されたインジケーションは、観察されたユーザ挙動を反映する。方法は、更新されたインジケーションに応答して、複数のウィンドウのうちの少なくとも１つのサイズ、およびそのウィンドウの中に表示されるコンテンツ選択の数を変更すること（４４０）を追加的に含む。
2016528585.tif 000002
【特許請求の範囲】
【請求項１】
ディスプレイスクリーン上に表示される少なくとも１つのウィンドウのサイズ、および前記少なくとも１つのウィンドウに表示される異なるコンテンツカテゴリのうちのそれぞれ１つについてのコンテンツオプションの数を決定すること（４１０）であって、前記サイズおよびコンテンツオプションの前記数は、それぞれのコンテンツカテゴリについてのユーザ選好のインジケーションに応答して決定され、決定された結果、前記少なくとも１つのウィンドウの前記サイズ、および該ウィンドウの中に表示されるコンテンツオプションの前記数は、前記それぞれのコンテンツカテゴリのうちの対応する１つについてのユーザ選好の増加するレベルに応答して、増加する、前記決定すること（４１０）と、
前記少なくとも１つのウィンドウを含む複数のウィンドウを、前記ディスプレイスクリーン上に表示すること（４２０）であって、前記複数のウィンドウの各々は、前記異なるコンテンツカテゴリのうちのそれぞれ１つに対応し、前記少なくとも１つのウィンドウは、前記決定されたサイズおよび前記決定された数のコンテンツオプションで表示される、前記表示すること（４２０）と、
メモリデバイスから、前記それぞれのコンテンツカテゴリについての前記ユーザ選好の更新されたインジケーションにアクセスすること（４３０）であって、前記更新されたインジケーションは、観察されたユーザ挙動を反映する、前記アクセスすること（４３０）と、
前記更新されたインジケーションに応答して、前記複数のウィンドウのうちの少なくとも１つのサイズ、および該ウィンドウの中に表示されるコンテンツ選択の前記数を変更すること（４４０）と、
を含む、方法。
【請求項２】
前記インジケーションは、スクリーンレイアウト、またはディスプレイスクリーンを含むデバイスに依存しない、請求項１に記載の方法。
【請求項３】
前記それぞれのコンテンツカテゴリのうちの対応する１つについて増加されたユーザ選好に基づいて、サイズが増加された前記複数のウィンドウのうちの所与の１つについて、ウィンドウの場所が、前記ディスプレイスクリーン上のより目立つ場所へと移動される、請求項１に記載の方法。
【請求項４】
前記インジケーションはまた、前記更新されたインジケーションに関して先の観察されたユーザ挙動も反映する、請求項１に記載の方法。
【請求項５】
前記複数のウィンドウのうちの少なくともいくつかは、コンテンツ選択のリスティングを含み、前記少なくとも１つのウィンドウについてのコンテンツ選択の前記リスティングは、前記決定された数のコンテンツオプションを含む、請求項１に記載の方法。
【請求項６】
前記複数のウィンドウのうちの所与の１つに関連付けられた前記コンテンツカテゴリのうちの所与の１つについての、前記ユーザ選好のインジケーション、または前記ユーザ選好の更新されたインジケーションに応答して、複数のウィンドウのうちの少なくとも所与の１つを、コンテンツ選択の前記リスティングが欠如しているタブに変化させることを含む、請求項５に記載の方法。
【請求項７】
ユーザ選好の前記インジケーション、およびユーザ選好の前記更新されたインジケーションのうちの少なくとも１つは、所与の時間期間内に取引されたコンテンツの数、前記所与の時間期間内のコンテンツページ当たりのクリックの数、前記所与の時間期間内の前記コンテンツカテゴリのうちの特定の１つについての検索の数、前記所与の時間期間内にレビューされたコンテンツの数、およびユーザ地理人口統計のうちの、少なくとも１つを含む、請求項１に記載の方法。
【請求項８】
メディアプレゼンテーションデバイスにおけるシステムであって、該システムは、
少なくとも１つのウィンドウのサイズ、および前記少なくとも１つのウィンドウに表示される異なるコンテンツカテゴリのうちのそれぞれ１つについてのコンテンツオプションの数を決定するためのウィンドウレイアウトマネジャ（３９０）であって、前記サイズおよびコンテンツオプションの前記数は、それぞれのコンテンツカテゴリについてのユーザ選好のインジケーションに応答して決定され、決定された結果、前記少なくとも１つのウィンドウの前記サイズ、および該ウィンドウの中に表示されるコンテンツオプションの前記数は、前記それぞれのコンテンツカテゴリのうちの対応する１つについてのユーザ選好の増加するレベルに応答して、増加する、前記ウィンドウレイアウトマネジャ（３９０）と、
前記少なくとも１つのウィンドウを含む複数のウィンドウを表示するためのディスプレイスクリーン（３４０）であって、前記複数のウィンドウの各々は、前記異なるコンテンツカテゴリのうちのそれぞれ１つに対応し、前記少なくとも１つのウィンドウは、前記決定されたサイズおよび前記決定された数のコンテンツオプションで表示される、ディスプレイスクリーン（３４０）と、
を備え、前記ウィンドウレイアウトマネジャ（３９０）は、前記それぞれのコンテンツカテゴリについての前記ユーザ選好の更新されたインジケーションにアクセスし、前記更新されたインジケーションに応答して、前記複数のウィンドウのうちの少なくとも１つのサイズ、および該ウィンドウの中に表示されるコンテンツ選択の前記数を変更し、前記更新されたインジケーションは、観察されたユーザ挙動を反映する、前記システム。
【請求項９】
前記インジケーションは、スクリーンレイアウト、またはディスプレイスクリーンを含むデバイスに依存しない、請求項８に記載のシステム。
【請求項１０】
前記それぞれのコンテンツカテゴリのうちの対応する１つについて増加されたユーザ選好に基づいて、サイズが増加された前記複数のウィンドウのうちの所与の１つについて、ウィンドウの場所が、前記ディスプレイスクリーン上のより目立つ場所へと移動される、請求項８に記載のシステム。
【請求項１１】
前記インジケーションはまた、前記更新されたインジケーションに関して先の観察されたユーザ挙動も反映する、請求項８に記載のシステム。
【請求項１２】
前記複数のウィンドウのうちの少なくともいくつかは、コンテンツ選択のリスティングを含み、前記少なくとも１つのウィンドウについてのコンテンツ選択の前記リスティングは、前記決定された数のコンテンツオプションを含む、請求項８に記載のシステム。
【請求項１３】
前記複数のウィンドウのうちの所与の１つに関連付けられた前記コンテンツカテゴリのうちの所与の１つについての、前記ユーザ選好のインジケーション、または前記ユーザ選好の更新されたインジケーションに応答して、複数のウィンドウのうちの少なくとも所与の１つを、コンテンツ選択の前記リスティングが欠如しているタブに変化させることを含む、請求項１２に記載のシステム。
【請求項１４】
ユーザ選好の前記インジケーション、およびユーザ選好の前記更新されたインジケーションのうちの少なくとも１つは、所与の時間期間内に取引されたコンテンツの数、前記所与の時間期間内のコンテンツページ当たりのクリックの数、前記所与の時間期間内の前記コンテンツカテゴリのうちの特定の１つについての検索の数、前記所与の時間期間内にレビューされたコンテンツの数、およびユーザ地理人口統計のうちの、少なくとも１つを含む、請求項８に記載のシステム。
【請求項１５】
方法を実施するためのコンピュータ実行可能なコードをそこに記憶させた非一時的コンピュータ可読ストレージメディアであって、該方法は、
ディスプレイスクリーン上に表示される少なくとも１つのウィンドウのサイズ、および前記少なくとも１つのウィンドウに表示される異なるコンテンツカテゴリのうちのそれぞれ１つについてのコンテンツオプションの数を決定することであって、前記サイズおよびコンテンツオプションの前記数は、それぞれのコンテンツカテゴリについてのユーザ選好のインジケーションに応答して決定され、決定された結果、前記少なくとも１つのウィンドウの前記サイズ、および該ウィンドウの中に表示されるコンテンツオプションの前記数は、前記それぞれのコンテンツカテゴリのうちの対応する１つについてのユーザ選好の増加するレベルに応答して、増加する、前記決定することと、
前記少なくとも１つのウィンドウを含む複数のウィンドウを、前記ディスプレイスクリーン上に表示することであって、前記複数のウィンドウの各々は、前記異なるコンテンツカテゴリのうちのそれぞれ１つに対応し、前記少なくとも１つのウィンドウは、前記決定されたサイズおよび前記決定された数のコンテンツオプションで表示される、前記表示することと、
メモリデバイスから、前記それぞれのコンテンツカテゴリについての前記ユーザ選好の更新されたインジケーションにアクセスすることであって、前記更新されたインジケーションは、観察されたユーザ挙動を反映する、前記アクセスすることと、
前記更新されたインジケーションに応答して、前記複数のウィンドウのうちの少なくとも１つのサイズ、および該ウィンドウの中に表示されるコンテンツ選択の前記数を変更することと、
を含む、前記非一時的コンピュータ可読ストレージメディア。
【発明の詳細な説明】
【技術分野】
【０００１】
本原理は、一般に、ユーザインターフェースに関し、より詳細には、ユーザアクションに応答して、ウィンドウを自動的にサイズ調整するための方法およびシステムに関する。
【背景技術】
【０００２】
消費者によるディジタルコンテンツの消費は、かつてないほどに増加している。モバイルメディアデバイスの普及が、そのような消費を増加させる役割を果たしてきた。しかしながら、ユーザ選好は、ユーザにとって最も好ましいやり方で、ディジタルコンテンツのプレゼンテーションに考慮に入れられてはいない。
【発明の概要】
【０００３】
上記先行技術のこれらの、ならびに他の欠点および不利点は、ユーザアクションに応答して、ウィンドウを自動的にサイズ調整するための方法およびシステムに向けられた、この本原理によって取り組まれる。
【０００４】
この本原理の特徴によると、方法が提供される。上記方法は、ディスプレイスクリーン上に表示される少なくとも１つのウィンドウのサイズ、および上記少なくとも１つのウィンドウに表示される異なるコンテンツカテゴリのうちのそれぞれ１つについてのコンテンツオプションの数を決定することを含む。上記サイズおよびコンテンツオプションの上記数は、それぞれのコンテンツカテゴリについてのユーザ選好のインジケーションに応答して決定され、決定された結果、上記少なくとも１つのウィンドウの上記サイズ、およびそのウィンドウの中に表示されるコンテンツオプションの上記数は、上記それぞれのコンテンツカテゴリのうちの対応する１つについてのユーザ選好の増加するレベルに応答して、増加する。上記方法は、上記少なくとも１つのウィンドウを含む複数のウィンドウを、上記ディスプレイスクリーン上に表示することをさらに含み、上記複数のウィンドウの各々は、上記異なるコンテンツカテゴリのうちのそれぞれ１つに対応する。上記少なくとも１つのウィンドウは、上記決定されたサイズおよび上記決定された数のコンテンツオプションで表示される。上記方法はまた、メモリデバイスから、上記それぞれのコンテンツカテゴリについての上記ユーザ選好の更新されたインジケーションにアクセスすることを含む。上記更新されたインジケーションは、観察されたユーザ挙動を反映する。上記方法は、上記更新されたインジケーションに応答して、上記複数のウィンドウのうちの少なくとも１つのサイズ、およびそのウィンドウの中に表示されるコンテンツ選択の上記数を変更することを追加的に含む。
【０００５】
この本原理の別の特徴によると、メディアプレゼンテーションデバイスにおけるシステムが提供される。上記システムは、少なくとも１つのウィンドウのサイズ、および上記少なくとも１つのウィンドウに表示される異なるコンテンツカテゴリのうちのそれぞれ１つについてのコンテンツオプションの数を決定するためのウィンドウレイアウトマネジャを含む。上記サイズおよびコンテンツオプションの上記数は、それぞれのコンテンツカテゴリについてのユーザ選好のインジケーションに応答して決定され、決定された結果、上記少なくとも１つのウィンドウの上記サイズ、およびそのウィンドウの中に表示されるコンテンツオプションの上記数は、上記それぞれのコンテンツカテゴリのうちの対応する１つについてのユーザ選好の増加するレベルに応答して、増加する。上記システムは、上記少なくとも１つのウィンドウを含む複数のウィンドウを表示するためのディスプレイスクリーンをさらに含み、上記複数のウィンドウの各々は、上記異なるコンテンツカテゴリのうちのそれぞれ１つに対応する。上記少なくとも１つのウィンドウは、上記決定されたサイズおよび上記決定された数のコンテンツオプションで表示される。上記ウィンドウレイアウトマネジャは、上記それぞれのコンテンツカテゴリについての上記ユーザ選好の更新されたインジケーションにアクセスし、上記更新されたインジケーションに応答して、上記複数のウィンドウのうちの少なくとも１つのサイズ、およびそのウィンドウの中に表示されるコンテンツ選択の上記数を変更する。上記更新されたインジケーションは、観察されたユーザ挙動を反映する。
【０００６】
この本原理のさらに別の実施形態によると、方法を実施するためのコンピュータ実行可能なコードをそこに記憶させた非一時的コンピュータ可読ストレージメディアが提供される。上記方法は、ディスプレイスクリーン上に表示される少なくとも１つのウィンドウのサイズ、および上記少なくとも１つのウィンドウに表示される異なるコンテンツカテゴリのうちのそれぞれ１つについてのコンテンツオプションの数を決定することを含む。上記サイズおよびコンテンツオプションの上記数は、それぞれのコンテンツカテゴリについてのユーザ選好のインジケーションに応答して決定され、決定された結果、上記少なくとも１つのウィンドウの上記サイズ、およびそのウィンドウの中に表示されるコンテンツオプションの上記数は、上記それぞれのコンテンツカテゴリのうちの対応する１つについてのユーザ選好の増加するレベルに応答して、増加する。上記方法は、上記少なくとも１つのウィンドウを含む複数のウィンドウを、上記ディスプレイスクリーン上に表示することをさらに含み、上記複数のウィンドウの各々は、上記異なるコンテンツカテゴリのうちのそれぞれ１つに対応する。上記少なくとも１つのウィンドウは、上記決定されたサイズおよび上記決定された数のコンテンツオプションで表示される。上記方法はまた、メモリデバイスから、上記それぞれのコンテンツカテゴリについての上記ユーザ選好の更新されたインジケーションにアクセスすることを含む。上記更新されたインジケーションは、観察されたユーザ挙動を反映する。上記方法は、上記更新されたインジケーションに応答して、上記複数のウィンドウのうちの少なくとも１つのサイズ、およびそのウィンドウの中に表示されるコンテンツ選択の上記数を変更することを追加的に含む。
【０００７】
この本原理のこれらの、ならびに他の特徴、特性、および利点は、その付属の図面に関連して読まれることになる例示的な実施形態のその以下の詳細な説明から、明らかになるであろう。
【図面の簡単な説明】
【０００８】
本原理は、以下の例示的な図に従って、よりよく理解され得る。
【図１】本原理の実施形態に従って、本原理が適用され得る、ビデオコンテンツを配信するための例示的なシステム１００を示す図である。
【図２】本原理の実施形態による、本原理が適用され得る例示的な処理システム２００を示す図である。
【図３】本原理の実施形態に従って、ユーザアクションに応答してウィンドウを自動的にサイズ調整するための例示的なシステム３００を示す図である。
【図４】本原理の実施形態に従って、ユーザアクションに応答してウィンドウを自動的にサイズ調整するための例示的な方法４００を示す図である。
【図５】本原理の実施形態に従って、異なるカード５１０をその上に表現させた例示的なユーザインターフェース５００を示す図である。
【図６】本原理の実施形態に従って、図５のユーザインターフェース５００の変更されたバージョン６００を示す図である。
【図７】本原理の実施形態に従って、図５のユーザインターフェース５００の別の変更されたバージョン７００を示す図である。
【発明を実施するための形態】
【０００９】
本原理は、ユーザアクションに応答して、ウィンドウを自動的にサイズ調整するための方法およびシステムに向けられる。用語「ウィンドウ」、「カード」、および「メニュー」は、ディスプレイスクリーン上の境界領域を指すために、本明細書で区別せずに使用されることが認識されるべきである。実施形態において、境界領域は、異なるコンテンツカテゴリに対応し、その中にコンテンツ選択のリスティングを含むことができる。
【００１０】
実施形態において、本原理は、ユーザに提示されるさまざまなウィンドウをサイズ変更する自動式のやり方を、好都合に提供する。通常、ウィンドウのリスティングがユーザに示されるとき、そのようなウィンドウは、常に同じサイズである。実施形態において、本原理は、プロファイルに鑑みて決定されたユーザの選好を反映するために、グラフィカル要素を自動的に調整するように、この方法を改める。
【００１１】
実施形態において、本原理は、ディジタルコンテンツサービスプロバイダによって提供されるディジタルコンテンツに関して使用される。実施形態において、ディジタルサービスプロバイダは、消費者が、たとえば、オーバーザトップ（ＯＴＴ）、オペレータ、およびローカルネットワークからのコンテンツを、容易に突き止め、閲覧し、共有することを可能にするコンテンツプラットフォーム上で動作する。当然ながら、本原理の趣旨を維持しながら、他のネットワークタイプが使用されてもよい。実施形態において、本原理は、たとえば、Ｍ−Ｇｏ（商標）／ＭｅｄｉａＮａｖｉ（商標）などの、ディジタルコンテンツサービスプロバイダ／システムに関して実現される。当然ながら、本原理の趣旨を維持しながら、本原理は、他のディジタルコンテンツサービスプロバイダ／システムに関して使用されてもよい。
【００１２】
本説明は、本原理を例証する。したがって、本明細書で明示的に説明されず、または示されなくとも、本原理を具体化し、その精神および範囲内に含まれる、さまざまな構成を、当業者が考案することができることが認識されるであろう。
【００１３】
本明細書に挙げられるすべての例および条件付き言語は、本原理、および技術の促進に対して本発明者によって貢献される概念を、読者が理解するのを支援するための教育的な目的のために意図されており、そのような具体的に挙げられた例および条件に制限しないものとして解釈されることになる。
【００１４】
その上、本原理の原理、特徴、および実施形態、ならびにその具体的な例を挙げている本明細書におけるすべての記述は、その構造上および機能上の両方の等価物を包含することが意図されている。追加的に、そのような等価物は、現在知られている等価物、ならびに将来において開発される等価物の両方、すなわち、構造に拘わらず同じ機能を実施する、開発されるあらゆる要素を含むことが意図されている。
【００１５】
したがって、たとえば、本明細書で提示されるブロック図は、本原理を具体化する説明に役立つ回路の概念図を表すことが、当業者によって認識されるであろう。同様に、あらゆる流れ図、フロー図、状態遷移図、擬似コード、その他は、コンピュータ可読メディアにおいて実質的に表され、かつコンピュータまたはプロセッサーが明示的に示されていても、いなくても、そのようなコンピュータまたはプロセッサーによってそのように実行され得る、さまざまなプロセスを表すことが認識されるであろう。
【００１６】
図に示されたさまざまな要素の機能は、専用ハードウェア、ならびに適切なソフトウェアに関連付けてソフトウェアを実行することが可能なハードウェアの使用を通して提供されてよい。プロセッサーによって提供されるとき、機能は、単一の専用プロセッサーによって、単一の共有プロセッサーによって、またはそのうちのいくつかが共有され得る複数の個々のプロセッサーによって提供されてよい。その上、用語「プロセッサー」または「コントローラ」の明示的な使用は、ソフトウェアを実行することが可能なハードウェアを独占的に指すように解釈されるべきでなく、暗黙的には、制限はせずに、ディジタル信号プロセッサー（「ＤＳＰ」）ハードウェア、ソフトウェアを記憶するための読出し専用メモリ（「ＲＯＭ」）、ランダムアクセスメモリ（「ＲＡＭ」）、および不揮発性ストレージを含むことができる。
【００１７】
従来のおよび／またはカスタムの、他のハードウェアがまた含まれてもよい。同様に、図に示されたあらゆるスイッチは、概念上にすぎない。それらの機能は、プログラム論理の動作を通して、専用論理を通して、またはプログラム制御と専用論理との対話を通して、または手動でさえも遂行されてよく、特定の技法は、コンテキストからより具体的に理解されるように、開発者によって選定可能である。
【００１８】
本明細書の特許請求項において、指定された機能を実施するための手段として表されるあらゆる要素は、たとえば、ａ）その機能を実施する回路要素の組合せ、または、ｂ）機能を実施するためにそのソフトウェアを実行するための適切な回路と組み合わされた、したがって、ファームウェア、マイクロコード、その他を含む、任意の形式のソフトウェアを含む、その機能を実施するあらゆるやり方を包含することが意図されている。そのような特許請求項によって定義されるとき、本原理は、さまざまな挙げられた手段によって提供される機能性が、特許請求項が求めるやり方で、組み合わされ、一緒にされるという事実に帰する。したがって、それらの機能性を提供することができるあらゆる手段は、本明細書で示されるものと等価であるとみなされる。
【００１９】
本原理の「一実施形態（ｏｎｅ  ｅｍｂｏｄｉｍｅｎｔ）」または「実施形態（ａｎ  ｅｍｂｏｄｉｍｅｎｔ）」、ならびにその他の変形への本明細書における参照は、実施形態に関連して説明される特定の特性、構造、特質、その他が、本原理の少なくとも１つの実施形態に含まれることを意味する。したがって、本明細書全体を通してさまざまな箇所に現れる語句「一実施形態」または「実施形態」、ならびにあらゆる他の変形の出現は、必ずしもすべてが同じ実施形態を指すわけではない。
【００２０】
たとえば、「Ａ／Ｂ」、「Ａおよび／またはＢ」、および「ＡおよびＢのうちの少なくとも１つ」の事例における、「／」、「および／または」、および「のうちの少なくとも１つ」のうちのいずれかの使用は、第１のリストされたオプション（Ａ）のみの選定、または第２のリストされたオプション（Ｂ）のみの選定、または両方のオプション（ＡおよびＢ）の選定を包含するように意図されていることが認識されるべきである。さらなる例として、「Ａ、Ｂ、および／またはＣ」、および「Ａ、Ｂ、およびＣのうちの少なくとも１つ」の事例において、そのような言い回しは、第１のリストされたオプション（Ａ）のみの選定、または第２のリストされたオプション（Ｂ）のみの選定、または第３のリストされたオプション（Ｃ）のみの選定、または第１および第２のリストされたオプション（ＡおよびＢ）のみの選定、または第１および第３のリストされたオプション（ＡおよびＣ）のみの選定、または第２および第３のリストされたオプション（ＢおよびＣ）のみの選定、またはすべての３つのオプション（ＡおよびＢおよびＣ）の選定を包含することが意図されている。これは、この技術および関係した技術の当業者によって容易に明らかであるように、リストされた多くの項目としての場合に、拡張されてよい。
【００２１】
最初に、さまざまなタイプのコンテンツをユーザに配信するためのシステムが、説明される。
【００２２】
図１は、本原理の実施形態に従って、本原理が適用され得る、ビデオコンテンツを配信するための例示的なシステム１００を示す。コンテンツは、映画スタジオまたはプロダクションハウスなどのコンテンツソース１０２から発信される。コンテンツは、２つの形式のうちの少なくとも１つで供給されてよい。１つの形式は、コンテンツの放送形式であってよい。放送コンテンツは、放送提携マネジャ１０４に提供され、それは、通常、アメリカ放送会社（ＡＢＣ）、ナショナル放送会社（ＮＢＣ）、コロンビア放送システム（ＣＢＳ）、その他などの全国放送サービスである。放送提携マネジャは、コンテンツを収集し、記憶することができ、配信ネットワーク１（１０６）として示される配信ネットワーク上でのコンテンツの配信をスケジュールすることができる。配信ネットワーク１（１０６）は、全国センターから１または複数の地域センターまたはローカルセンターへの、衛星リンク伝送を含むことができる。配信ネットワーク１（１０６）はまた、無線放送、衛星放送、またはケーブル放送などのローカル配信システムを使用するローカルコンテンツ配信を含むことができる。ローカルに配信されたコンテンツは、ユーザの自宅におけるユーザのセットトップボックス／ディジタルビデオレコーダ（ＤＶＲ）１０８に提供され、ここで、コンテンツは、ユーザによる後続の検索の結果の一部を形成することになる。
【００２３】
コンテンツの第２の形式は、スペシャルコンテンツと呼ばれる。スペシャルコンテンツは、プレミアムビューイング、ペイパービュー、またはそうでなければ放送提携マネジャに提供されない他のコンテンツとして配信されていてよいコンテンツを含むことができる。多くの事例において、スペシャルコンテンツは、ユーザによって要求されるコンテンツであってよい。スペシャルコンテンツは、コンテンツマネジャ１１０に配信されてよい。コンテンツマネジャ１１０は、たとえば、コンテンツプロバイダと提携されたインターネットウェブサイト、放送サービス、または配信ネットワークサービスなどのサービスプロバイダであってよい。コンテンツマネジャ１１０はまた、インターネットコンテンツを、配信システムの中に組み込む、またはユーザのセットトップボックス／ディジタルビデオレコーダ１０８にまだ配信されていないコンテンツが検索され得るように、検索の中だけに明示的に組み込むことができる。コンテンツマネジャ１１０は、別個の配信ネットワークである配信ネットワーク２（１１２）を介して、コンテンツを、ユーザのセットトップボックス／ディジタルビデオレコーダ１０８に配信することができる。配信ネットワーク２（１１２）は、高速ブロードバンドインターネットタイプ通信システムを含むことができる。放送提携マネジャ１０４からのコンテンツもまた、配信ネットワーク２（１１２）のすべてまたは一部を使用して配信されてよく、コンテンツマネジャ１１０からのコンテンツが、配信ネットワーク１（１０６）のすべてまたは一部を使用して配信されてもよいことに留意することが重要である。加えて、ユーザはまた、コンテンツマネジャ１１０によって管理されたコンテンツを必ずしも有せずに、配信ネットワーク２（１１２）を介して、インターネットから直接コンテンツを取得することができる。
【００２４】
セットトップボックス／ディジタルビデオレコーダ１０８は、配信ネットワーク１および配信ネットワーク２のうちの１つ、または両方から、異なるタイプのコンテンツを受信することができる。セットトップボックス／ディジタルビデオレコーダ１０８は、コンテンツを処理し、ユーザ選好およびコマンドに基づいて、コンテンツの選別を提供する。セットトップボックス／ディジタルビデオレコーダはまた、オーディオおよびビデオコンテンツを記録し、再生するための、ハードドライブまたは光学ディスクドライブなどのストレージデバイスを含むことができる。処理されたコンテンツは、ディスプレイデバイス１１４に提供される。ディスプレイデバイス１１４は、従来の２−Ｄタイプディスプレイであってもよいし、または代わりに高度な３−Ｄディスプレイであってもよい。ワイヤレス電話、ＰＤＡ、コンピュータ、ゲーミングプラットフォーム、リモートコントロール、マルチメディアプレーヤ、その他などのディスプレイ性能を有する他のデバイスが、本開示の教示を利用することができ、本開示の範囲内に考えられることが認識されるべきである。いくつかの実施形態において、少なくともディスプレイデバイス１１４が、および他の実施形態においては、セットトップボックス／ディジタルビデオレコーダ１０８もまた、図２に関して示され、説明される処理システム２００などの、ディスプレイを有する処理システムによって取って代わられてもよい。処理システム２００は、任意のメディア消費／プレゼンテーションデバイスを表すことができる。
【００２５】
図２が、本原理の実施形態による、本原理が適用され得る例示的な処理システム２００を示すことが示されている。処理システム２００は、システムバス２０２を介して他の構成要素に動作可能に結合される、少なくとも１つのプロセッサー（ＣＰＵ）２０４を含む。キャッシュ２０６、読出し専用メモリ（ＲＯＭ）２０８、ランダムアクセスメモリ（ＲＡＭ）２１０、入力／出力（Ｉ／Ｏ）アダプタ２２０、音声アダプタ２３０、ネットワークアダプタ２４０、ユーザインターフェースアダプタ２５０、およびディスプレイアダプタ２６０は、システムバス２０２に動作可能に結合される。
【００２６】
第１のストレージデバイス２２２および第２のストレージデバイス２２４は、Ｉ／Ｏアダプタ２２０によって、システムバス２０２に動作可能に結合される。ストレージデバイス２２２および２２４は、ディスクストレージデバイス（たとえば、磁気または光学ディスクストレージデバイス）、ソリッドステート磁気デバイス、その他のうちのいずれかであってよい。ストレージデバイス２２２および２２４は、同じタイプのストレージデバイスであっても、または異なるタイプのストレージデバイスであってもよい。
【００２７】
スピーカ２３２は、音声アダプタ２３０によって、システムバス２０２に動作可能に結合される。
【００２８】
トランシーバ２４２は、ネットワークアダプタ２４０によって、システムバス２０２に動作可能に結合される。
【００２９】
第１のユーザ入力デバイス２５２、第２のユーザ入力デバイス２５４、および第３のユーザ入力デバイス２５６は、ユーザインターフェースアダプタ２５０によって、システムバス２０２に動作可能に結合される。ユーザ入力デバイス２５２、２５４、および２５６は、キーボード、マウス、キーパッド、画像キャプチャデバイス、動き検知デバイス、マイクロフォン、前述のデバイスのうちの少なくとも２つの機能性を組み込んだデバイス、その他のうちのいずれかであってよい。当然ながら、本原理の趣旨を維持しながら、他のタイプの入力デバイスがまた使用されてもよい。ユーザ入力デバイス２５２、２５４、および２５６は、同じタイプのユーザ入力デバイスでも、または異なるタイプのユーザ入力デバイスであってもよい。ユーザ入力デバイス２５２、２５４、および２５６は、システム２００に情報を入力し、システム２００から情報を出力するために使用される。
【００３０】
ディスプレイデバイス２６２は、ディスプレイアダプタ２６０によって、システムバス２０２に動作可能に結合される。
【００３１】
当然ながら、処理システム２００はまた、当業者によって容易に企図されるように、他の要素（図示せず）を含むだけでなく、一定の要素を省略することができる。たとえば、当業者によって容易に理解されるように、その特定の実現に応じて、さまざまな他の入力デバイスおよび／または出力デバイスが、処理システム２００に含まれてよい。たとえば、さまざまなタイプのワイヤレスおよび／またはワイヤードの、入力デバイスおよび／または出力デバイスが使用されてよい。その上、当業者によって容易に認識されるように、追加的なプロセッサー、コントローラ、メモリ、その他が、さまざまな構成においてまた利用されてもよい。処理システム２００のこれらの、および他の変形は、本明細書で提供される本原理の教示を与えられる当業者によって容易に企図される。
【００３２】
その上、図３に関して以下で説明されるシステム３００は、本原理のそれぞれの実施形態を実現するためのシステムであることが認識されるべきである。処理システム２００の一部またはすべては、システム３００の要素のうちの１または複数において実現されてよい。
【００３３】
さらに、処理システム２００は、たとえば、図４の方法４００の少なくとも一部を含む、本明細書で説明される方法の少なくとも一部を実施することができることが認識されるべきである。同様に、システム３００の一部またはすべてが、図４の方法４００の少なくとも一部を実施するために使用されてよい。
【００３４】
図３は、本原理の実施形態に従って、ユーザアクションに応答して、ウィンドウを自動的にサイズ調整するための例示的なシステム３００を示す。システム３００は、ウィンドウサイズ決定デバイス３１０と、ウィンドウコンテンツオプション数決定デバイス３２０と、ユーザ選好ストア３３０と、ディスプレイスクリーン３４０とを含む、および／または、別のやり方で伴う。ウィンドウサイズ決定デバイス３１０およびウィンドウコンテンツオプション数決定デバイス３２０は、本明細書で、ウィンドウレイアウトマネジャ３９０とひとまとめに呼ばれてよい。
【００３５】
ウィンドウサイズ決定デバイス３１０は、ディスプレイスクリーン上に表示される少なくとも１つのウィンドウのサイズを決定する。実施形態において、ウィンドウは、ウィンドウのサイズが、それぞれのコンテンツカテゴリのうちの対応する１つについてのユーザ選好の増加するレベルに応答して増加し、ユーザ選好の減少するレベルに応答して減少するように、サイズ調整される。
【００３６】
ウィンドウコンテンツオプション数決定デバイス３２０は、ウィンドウに表示される異なるコンテンツカテゴリのうちのそれぞれ１つについてのコンテンツオプションの数を決定する。実施形態において、コンテンツオプションの数は、ウィンドウに表示されるコンテンツオプションの数が、それぞれのコンテンツカテゴリのうちの対応する１つについてのユーザ選好の増加するレベルに応答して増加し、ユーザ選好の減少するレベルに応答して減少するように、決定される。
【００３７】
ディスプレイスクリーン３４０は、少なくとも１つのウィンドウを含む複数のウィンドウを表示し、複数のウィンドウの各々は、異なるコンテンツカテゴリのうちのそれぞれ１つに対応し、少なくとも１つのウィンドウは、決定されたサイズおよび決定された数のコンテンツオプションで表示される。
【００３８】
ユーザ選好ストア３３０は、それぞれのコンテンツカテゴリについてのユーザ選好のインジケーションを記憶する。実施形態において、インジケーションは、観察されたユーザ挙動を反映する。実施形態において、ウィンドウサイズ決定デバイス３１０およびウィンドウコンテンツオプション数決定デバイス３２０は、インジケーションに応答して、ウィンドウのサイズ、およびそのウィンドウの中に表示されるコンテンツ選択の数を変更する。当然ながら、ウィンドウサイズおよび表示されるコンテンツオプションの数を決定するために、本原理の趣旨を維持しながら、他の情報が、ウィンドウサイズ決定デバイス３１０およびウィンドウコンテンツオプション数決定デバイス３２０によって使用されてもよい。実施形態において、そのような他の情報は、ストア３３０に記憶されてよい。
【００３９】
ディスプレイスクリーン３４０は、図３でシステム３００の一部として示されているが、他の実施形態においては、システム３００は、（コンテンツ消費デバイスまたはコンテンツプレゼンテーションデバイスなどの）異なるシステムまたはデバイスの一部であり得るディスプレイスクリーン３４０と、単に対話することができる。その上、実施形態において、システム３００の全体は、コンテンツ消費デバイスまたはコンテンツプレゼンテーションデバイスの一部である。さらに、他の実施形態において、システム３００の要素のうちの１または複数が、１よりも多いコンテンツ消費デバイスまたはコンテンツプレゼンテーションデバイスによる使用のために、分散されてもよい。図３の要素のこれらの、および他の変形は、本原理の趣旨を維持しながら、本明細書で提供される本原理の教示を与えられる当業者によって容易に決定される。
【００４０】
図４は、本原理の実施形態に従って、ユーザアクションに応答して、ウィンドウを自動的にサイズ調整するための例示的な方法４００を示す。
【００４１】
ステップ４１０で、ディスプレイスクリーン上に表示される少なくとも１つのウィンドウのサイズ、および少なくとも１つのウィンドウに表示される異なるコンテンツカテゴリのうちのそれぞれ１つについてのコンテンツオプションの数を決定する。サイズおよびコンテンツオプションの数は、それぞれのコンテンツカテゴリについてのユーザ選好のインジケーションに応答して決定され、決定された結果、少なくとも１つのウィンドウのサイズ、およびそのウィンドウの中に表示されるコンテンツオプションの数は、それぞれのコンテンツカテゴリのうちの対応する１つについてのユーザ選好の増加するレベルに応答して、増加する。
【００４２】
ステップ４２０で、少なくとも１つのウィンドウを含む複数のウィンドウを、ディスプレイスクリーン上に表示する。複数のウィンドウの各々は、異なるコンテンツカテゴリのうちのそれぞれ１つに対応する。少なくとも１つのウィンドウは、決定されたサイズおよび決定された数のコンテンツオプションで表示される。ステップ４２０は、ディスプレイスクリーン上の複数のウィンドウのレイアウトを決定することを伴うことができることが認識されるべきである。たとえば、それぞれのコンテンツカテゴリのうちの対応する１つについて増加されたユーザ選好に基づいて、サイズが増加された複数のウィンドウのうちの所与の１つについて、ウィンドウの場所が、ディスプレイスクリーン上のより目立つ場所へと移動される。
【００４３】
ステップ４３０で、それぞれのコンテンツカテゴリについてのユーザ選好の更新されたインジケーションにアクセスする。更新されたインジケーションは、観察されたユーザ挙動を反映する。
【００４４】
ステップ４４０で、更新されたインジケーションに応答して、複数のウィンドウのうちの少なくとも１つのサイズ、およびそのウィンドウの中に表示されるコンテンツ選択の数を変更する。
【００４５】
ステップ４３０に関して触れられたように、更新されたインジケーションは、観察されたユーザ挙動を反映することができるが、ステップ４１０で言及されたインジケーションもまた、観察されたユーザ挙動を反映することができる。その上、実施形態において、観察されたユーザ挙動は、ユーザプロファイルにログインされる。
【００４６】
実施形態において、本原理は、ユーザが展開したプロファイルに従って、提示されるウィンドウ／カード／メニューの見た目を変化させる動的なユーザインターフェースを提供する。実施形態において、本原理は、ディジタルコンテンツサービスプロバイダとのユーザの対話が、経時的に自動的に変化するカード／ウィンドウの構成をどのように生成することができるかに向けられる。ユーザプロファイルの展開は、本原理の範囲を超えている。しかしながら、本原理の趣旨を維持しながら、本原理は、任意のユーザプロファイルと共に本質的に使用され得ることがさらに認識されるべきである。
【００４７】
図５は、本原理の実施形態に従って、異なるカード５１０をその上に表現させた例示的なユーザインターフェース５００を示す。異なるカード５１０は、制限はされないが、「映画」、「テレビ」、「マイライブラリ」（これは、ユーザが自分のディジタルロッカー／クラウドに有する番組選定のリスティングである）、および「マイオファー」などのタイトルを有するトピックを表す。前述のトピックは、例示的であって、したがって、本原理の趣旨を維持しながら、これらの、および／または他のトピックがまた使用されてもよいことが認識されるべきである。各カード５１０は、映画／テレビ番組のリスティング、およびオファーを有する。これらのそれぞれのタイトルおよびオファーは、「タイトル１」または「オファー１」などのラベルで示される。図５におけるカードの構成は、たとえば、カード／ウィンドウがどのように構成されるかに影響するユーザプロファイルが展開される前に、カードの「新しい」ディスプレイを表すことができる。そのようなカード５１０はまた、３つのタイトル／オファーのディスプレイで始まるが、とはいえ、そのような数は、そのようなシステムがどのように実現されるかに従って、調整されてよい。すなわち、図５〜７に表現されたトピック、タイトル、およびオファー、ならびにサイズおよびレイアウトは、例示目的のためであり、したがって、本原理の趣旨を維持しながら、本明細書で示されたものとは異なる他のトピック、タイトル、オファー、サイズ、およびレイアウトがまた、本原理に従って使用されてもよい。
【００４８】
本原理の目的のために、ユーザが、テレビを見ることよりも、彼らのライブラリからメディアをプレイすることよりも、および／または、ディジタルコンテンツサービスプロバイダからのオファーを受け入れることよりも、映画を見ることを好むようなやり方で、ディジタルコンテンツサービスプロバイダを用いたユーザインターフェースを仮定されたい。この挙動は、ユーザプロファイルを展開するために暗黙的に／明示的に追従されてよい。図６は、本原理の実施形態に従って、図５のユーザインターフェース５００の変更されたバージョン（以下では「変更されたユーザインターフェース」）６００を示す。変更されたユーザインターフェース６００は、より多くの映画タイトルを示すように自動的に調整され（すなわち、ユーザインターフェース５００上での３つの映画タイトルに対して、変更されたユーザインターフェース６００上では６つの映画タイトル）、それにより、「テレビ」、「マイライブラリ」、および「マイオファー」の量が、（ユーザインターフェース５００上での３つのタイトルに対して、変更されたユーザインターフェース６００上では２つのタイトルに）縮小される。加えて、ディジタルコンテンツサービスプロバイダのより頻繁に使用される特性のためのエリアが、（映画カードによって示されるように）カードのサイズを変更することによって拡大され、一方で、あまり使用されない特性に一致するカードのサイズが、（「テレビ」、「マイライブラリ」、および「マイオファー」カードによって示されるように）縮小される。
【００４９】
図７は、本原理の実施形態に従った、図５のユーザインターフェース５００の別の変更されたバージョン（以下では「変更されたユーザインターフェース」）７００を示す。変更されたユーザインターフェース７００は、時間を通して、カードがどのようにさらに変更され得るかを示し、ここで、映画カードは一層大きく、１２のタイトルを示す。「テレビ」カードは、２つのタイトルを含んで、なおスクリーン上のいくらかの空間を占めている。すなわち、カード／ウィンドウのサイズ（および／またはロケーション）は、ディジタルコンテンツサービスプロバイダを通して利用可能にされた、映画およびテレビサービスのより頻繁な使用を反映するように変化される。「マイライブラリ」および「マイオファー」のためのカードは、ユーザのプロファイルに従って、これらのサービスがまれにしか使われないので、最後には、「タブ」７２０にされる。本原理の趣旨を維持しながら、ユーザのプロファイルが本原理に従って変化するとき、カードはさらに調整され得ることが認識されるべきである。
【００５０】
したがって、本原理のさまざまな実施形態に従って、複数のウィンドウのさまざまなパラメータが調整され得ることが認識されるべきである。そのようなパラメータは、制限はされないが、ウィンドウのそれぞれのサイズ、ウィンドウのそれぞれの場所、それぞれのウィンドウ内でコンテンツ選択のリスティングに含まれる項目のそれぞれの数、ウィンドウのフォーマット（たとえば、リスティングを含む、またはタブとして単に表されている、その他）を含む。
【００５１】
次に、プロファイルを新しいウィンドウサイズにマッピングするための一実施形態を説明する。当然ながら、以下の実施形態は説明に役立つ目的のために提供され、したがって、本明細書で提供される本原理の教示を与えられれば、当業者は、本原理の趣旨を維持しながら、プロファイルを新しいウィンドウサイズにマッピングするためのこのやり方、およびさまざまな他のやり方を企図するであろうことが、認識されるべきである。実施形態に従って、ユーザについての新しいプロファイルは、最初にデフォルトウィンドウサイズを割り当てられる。さまざまな機能（たとえば、ページサーフィン、クリックスルー、取引する、プレイする、検索する、その他）を通して、ユーザがユーザインターフェース５００と対話することを始めると、ウィンドウは、一定の基準に基づいて（たとえば、ウィンドウサイズ決定デバイス３１０によって決定されたサイズに従って）サイズ変更される。実施形態において、基準は、ユーザアクションに関係する。したがって、実施形態において、ウィンドウサイズ決定デバイス３１０は、基準に関してユーザアクションの数値を求めて、ユーザのための新しいウィンドウサイズを決定する。そのようなユーザアクションは、上で言及されたように、非ウィンドウサイズ調整機能（たとえば、ページサーフィン、クリックスルー、取引する、プレイする、検索する、その他）に向けられてよい。このようにして、ユーザのアクションは、ユーザのためのウィンドウサイズ選好を決定するために、間接的に使用されてよい。当然ながら、本原理は、ユーザのウィンドウサイズ選好に具体的に向けられたユーザアクションもまた考えるように実現されてもよい。
【００５２】
実施形態において、さまざまなユーザ入力のリストが考えられる。リストは、たとえば、制限はされないが、ランクの大きさの順に並べたリスト、ランクの大きさの順に並べた重み付けされたリスト、そのタイプのコンテンツの最後のＸのリストであって、ここでＸが、特定のカテゴリまたはその下での選定を所与の時間期間内にユーザが選定した回数を表す整数であるリスト、および（ｄ）日／時間／オーディエンス／その他によってカテゴライズされたコンテンツ選定のリストであってよい。実施形態において、リストは、以下の入力のうちの１または複数が考えられる、ランクの大きさの順に並べたリストである。
ａ．日ごと、週ごと、月ごとなどの、取引された（たとえば、購入された、または貸し出された）コンテンツの数
ｂ．日ごと、週ごと、月ごとなどの、ページ当たりのクリックの数
ｃ．日ごと、週ごと、月ごとなどの、そのコンテンツについての検索の数
ｄ．日ごと、週ごと、月ごとなどの、コンテンツレビュー（たとえば、Ｒｏｔｔｅｎ  Ｔｏｍａｔｏｅｓ（商標）からの「良い」）の数
ｅ．郵便番号による（地理）人口統計
当然ながら、前述の入力は、単に説明に役立つにすぎず、したがって、本原理の趣旨を維持しながら、他の入力がまた本原理の教示に従って使用されてもよい。
【００５３】
ユーザの選好は、本原理に従って、サイズ変更における使用のために、任意の数のやり方で定量化されてよい。実施形態において、ユーザの選好は、初期デフォルトウィンドウサイズに関して上で言及されたように、最初にデフォルト選好に関係することができる。実施形態において、デフォルト選好は、製品チームによって決定されてよく、次いでビジネスルール（基準）が、それ以降の使用のためにセットアップされてよい。実施形態において、それに関係した個人化されたチャネル（ここで、個人化されたチャネルは、特定のサイズのウィンドウ、およびそのウィンドウの中に表示される特定の数のコンテンツオプションを伴うものと考えられる）がどのように決定されるかを、ある程度まで詳述するビジネスルールが、ユーザインターフェースに表示されてよい。実施形態において、個人化されたチャネルは、これらのチャネルがシステムによって実行中に作成されるために、ユーザによって更新可能ではない。しかしながら、ユーザは、特定のチャネルにサブスクライブするか否かのオプションを与えられてよい。ユーザの選好を定量化するためのこの方法および他の方法は、本原理の趣旨を維持しながら、本明細書で提供される本原理の教示を与えられる当業者によって容易に企図される。
【００５４】
したがって、１つの想像される実施形態として、３カ月を超える期間の間に、複数のジャンルからであったとしても、映画のみを見るユーザを考えてみたい。そのような実施形態において、ユーザが他のカードを一度もクリックせず、したがって他のカードに無関心を示したために、その時点において、「映画」カードが、ユーザに示される唯一のカードである。それに応じて、製品は、ユーザの消費に対して非常に「個人化」され、それにより、システムをユーザにとってより効率的にする。
【００５５】
次に、本発明の多くの付帯的な利点／特性のうちのいくつかの説明が与えられ、そのうちのいくつかは上で言及されている。たとえば、１つの利点／特性は、ディスプレイスクリーン上に表示される少なくとも１つのウィンドウのサイズ、および少なくとも１つのウィンドウに表示される異なるコンテンツカテゴリのうちのそれぞれ１つについてのコンテンツオプションの数を決定することを含む方法である。少なくとも１つのウィンドウのサイズ、およびそのウィンドウの中に表示されるコンテンツオプションの数が、それぞれのコンテンツカテゴリのうちの対応する１つについてのユーザ選好の増加するレベルに応答して増加するように、サイズおよびコンテンツオプションの数は、それぞれのコンテンツカテゴリについてのユーザ選好のインジケーションに応答して決定される。この方法は、少なくとも１つのウィンドウを含む複数のウィンドウを、ディスプレイスクリーン上に表示することをさらに含み、複数のウィンドウの各々は、異なるコンテンツカテゴリのうちのそれぞれ１つに対応する。少なくとも１つのウィンドウは、決定されたサイズおよび決定された数のコンテンツオプションで表示される。方法はまた、メモリデバイスから、それぞれのコンテンツカテゴリについてのユーザ選好の更新されたインジケーションにアクセスすることを含む。更新されたインジケーションは、観察されたユーザ挙動を反映する。方法は、更新されたインジケーションに応答して、複数のウィンドウのうちの少なくとも１つのサイズ、およびそのウィンドウの中に表示されるコンテンツ選択の数を変更することを追加的に含む。
【００５６】
別の利点／特性は、上で説明された通りの方法であり、インジケーションは、スクリーンレイアウト、またはディスプレイスクリーンを含むデバイスに依存しない。
【００５７】
さらに別の利点／特性は、上で説明された通りの方法であり、それぞれのコンテンツカテゴリのうちの対応する１つについて増加されたユーザ選好に基づいて、サイズが増加された複数のウィンドウのうちの所与の１つについて、ウィンドウの場所が、ディスプレイスクリーン上のより目立つ場所へと移動される。
【００５８】
なおも別の利点／特性は、上で説明された通りの方法であり、インジケーションはまた、更新されたインジケーションに関して先の観察されたユーザ挙動も反映する。
【００５９】
その上、別の利点／特性は、上で説明された通りの方法であり、複数のウィンドウのうちの少なくともいくつかは、コンテンツ選択のリスティングを含み、少なくとも１つのウィンドウについてのコンテンツ選択のリスティングは、決定された数のコンテンツオプションを含む。
【００６０】
さらに、別の利点／特性は、方法であり、複数のウィンドウのうちの少なくともいくつかは、コンテンツ選択のリスティングを含み、少なくとも１つのウィンドウについてのコンテンツ選択のリスティングは、上で説明されたように決定された数のコンテンツオプションを含み、方法は、複数のウィンドウのうちの所与の１つに関連付けられたコンテンツカテゴリのうちの所与の１つについての、ユーザ選好のインジケーション、または更新されたインジケーションに応答して、複数のウィンドウのうちの少なくとも所与の１つを、コンテンツ選択のリスティングが欠如しているタブに変化させることを含む。
【００６１】
また、別の利点／特性は、上で説明された通りの方法であり、ユーザ選好のインジケーション、およびユーザ選好の更新されたインジケーションのうちの少なくとも１つは、所与の時間期間内に取引されたコンテンツの数、所与の時間期間内のコンテンツページ当たりのクリックの数、所与の時間期間内のコンテンツカテゴリのうちの特定の１つについての検索の数、所与の時間期間内にレビューされたコンテンツの数、およびユーザ地理人口統計のうちの、少なくとも１つを含む。
【００６２】
本原理のこれらの、ならびに他の特性および利点は、本明細書の教示に基づいて、関連技術の当業者によって容易に確認されてよい。本原理の教示は、ハードウェア、ソフトウェア、ファームウェア、特殊目的プロセッサー、またはそれらの組合せのさまざまな形式で実現されてよいことが理解されるべきである。
【００６３】
最も好ましくは、本原理の教示は、ハードウェアとソフトウェアとの組合せとして実現される。その上、ソフトウェアは、プログラムストレージユニット上で明白に具体化されるアプリケーションプログラムとして実現されてよい。アプリケーションプログラムは、任意の好適なアーキテクチャを含むマシンにアップロードされ、マシンによって実行されてよい。好ましくは、マシンは、１または複数の中央処理ユニット（「ＣＰＵ」）、ランダムアクセスメモリ（「ＲＡＭ」）、および入力／出力（「Ｉ／Ｏ」）インターフェースなどのハードウェアを有するコンピュータプラットフォーム上で実現される。コンピュータプラットフォームはまた、オペレーティングシステムおよびマイクロ命令コードを含むことができる。本明細書で説明されたさまざまなプロセスおよび機能は、ＣＰＵによって実行されてよい、マイクロ命令コードの一部、もしくはアプリケーションプログラムの一部のいずれか、またはそれらの任意の組合せであってよい。加えて、追加的なデータストレージユニットおよび印刷ユニットなどのさまざまな他の周辺ユニットが、コンピュータプラットフォームに接続されてよい。
【００６４】
付属の図面に表現された構成するシステム構成要素および方法のいくつかは、好ましくはソフトウェアで実現されるため、システム構成要素間またはプロセス機能ブロック間の実際の接続は、本原理がプログラムされたやり方に応じて異なることがあることが、さらに理解されるべきである。本明細書の教示を与えられれば、関連技術の当業者は、本原理のこれらの、および同様の実現または構成を企図することができるであろう。
【００６５】
説明に役立つ実施形態が、付属の図面を参照して本明細書で説明されてきたが、本原理は、それらの厳密な実施形態には制限されないこと、かつ本原理の範囲または趣旨から逸脱せずに、関連技術の当業者によってさまざまな変化および変更がもたらされてよいことが理解されるべきである。すべてのそのような変化および変更は、添付の特許請求の範囲に記載された通りに本原理の範囲内に含まれるように意図されている。
【図１】
2016528585.tif 000003
【図２】
2016528585.tif 000004
【図３】
2016528585.tif 000005
【図４】
2016528585.tif 000006
【図５】
2016528585.tif 000007
【図６】
2016528585.tif 000008
【図７】
2016528585.tif 000009
【手続補正書】
【提出日】平成28年6月14日(2016.6.14)
【手続補正１】
【補正対象書類名】特許請求の範囲
【補正対象項目名】全文
【補正方法】変更
【補正の内容】
【特許請求の範囲】
【請求項１】
ディスプレイスクリーン上に表示される少なくとも１つのウィンドウのサイズ、および前記少なくとも１つのウィンドウに表示される異なるコンテンツカテゴリのうちのそれぞれ１つについてのコンテンツオプションの数を決定することであって、前記サイズおよびコンテンツオプションの前記数は、それぞれのコンテンツカテゴリについてのユーザ選好のインジケーションに応答して決定され、決定された結果、前記少なくとも１つのウィンドウの前記サイズ、および該ウィンドウの中に表示されるコンテンツオプションの前記数は、前記それぞれのコンテンツカテゴリのうちの対応する１つについてのユーザ選好の増加するレベルに応答して、増加する、前記決定することと、
前記少なくとも１つのウィンドウを含む複数のウィンドウを、前記ディスプレイスクリーン上に表示することであって、前記複数のウィンドウの各々は、前記異なるコンテンツカテゴリのうちのそれぞれ１つに対応し、前記少なくとも１つのウィンドウは、前記決定されたサイズおよび前記決定された数のコンテンツオプションで表示される、前記表示することと、
メモリデバイスからの、前記それぞれのコンテンツカテゴリについての前記ユーザ選好の更新されたインジケーションにアクセスすることであって、前記更新されたインジケーションは、観察されたユーザ挙動を反映する、前記アクセスすることと、
前記更新されたインジケーションに応答して、前記複数のウィンドウのうちの少なくとも１つのサイズ、および該ウィンドウの中に表示されるコンテンツの選択肢の数を変更することと、
を含む、方法。
【請求項２】
前記インジケーションは、スクリーンレイアウト、またはディスプレイスクリーンを含むデバイスに依存しない、請求項１に記載の方法。
【請求項３】
前記それぞれのコンテンツカテゴリのうちの対応する１つについて増加されたユーザ選好に基づいて、サイズが増加された前記複数のウィンドウのうちの所与の１つについて、該ウィンドウの場所が、前記ディスプレイスクリーン上のより目立つ場所へと移動される、請求項１に記載の方法。
【請求項４】
前記インジケーションはまた、前記更新されたインジケーションに関して先の観察されたユーザ挙動も反映する、請求項１に記載の方法。
【請求項５】
前記複数のウィンドウのうちの少なくともいくつかは、コンテンツの選択肢のリスティングを含み、前記少なくとも１つのウィンドウについてのコンテンツの選択肢の前記リスティングは、前記決定された数のコンテンツオプションを含む、請求項１に記載の方法。
【請求項６】
前記複数のウィンドウのうちの所与の１つに関連付けられた前記コンテンツカテゴリのうちの所与の１つについての、前記ユーザ選好のインジケーション、または前記ユーザ選好の更新されたインジケーションに応答して、前記複数のウィンドウのうちの少なくとも所与の１つを、コンテンツの選択肢の前記リスティングが欠如しているタブに変化させることを含む、請求項５に記載の方法。
【請求項７】
ユーザ選好の前記インジケーション、およびユーザ選好の前記更新されたインジケーションのうちの少なくとも１つは、所与の時間期間内に取引されたコンテンツの数、前記所与の時間期間内のコンテンツページ当たりのクリックの数、前記所与の時間期間内の前記コンテンツカテゴリのうちの特定の１つについての検索の数、前記所与の時間期間内にレビューされたコンテンツの数、およびユーザ地理人口統計のうちの、少なくとも１つを含む、請求項１に記載の方法。
【請求項８】
メディアプレゼンテーションデバイスにおけるシステムであって、該システムは、
少なくとも１つのウィンドウのサイズ、および前記少なくとも１つのウィンドウに表示される異なるコンテンツカテゴリのうちのそれぞれ１つについてのコンテンツオプションの数を決定するためのウィンドウレイアウトマネジャであって、前記サイズおよびコンテンツオプションの前記数は、それぞれのコンテンツカテゴリについてのユーザ選好のインジケーションに応答して決定され、決定された結果、前記少なくとも１つのウィンドウの前記サイズ、および該ウィンドウの中に表示されるコンテンツオプションの前記数は、前記それぞれのコンテンツカテゴリのうちの対応する１つについてのユーザ選好の増加するレベルに応答して、増加する、前記ウィンドウレイアウトマネジャと、
前記少なくとも１つのウィンドウを含む複数のウィンドウを表示するためのディスプレイスクリーンであって、前記複数のウィンドウの各々は、前記異なるコンテンツカテゴリのうちのそれぞれ１つに対応し、前記少なくとも１つのウィンドウは、前記決定されたサイズおよび前記決定された数のコンテンツオプションで表示される、前記ディスプレイスクリーンと、
を備え、前記ウィンドウレイアウトマネジャは、前記それぞれのコンテンツカテゴリについての前記ユーザ選好の更新されたインジケーションにアクセスし、前記更新されたインジケーションに応答して、前記複数のウィンドウのうちの少なくとも１つのサイズ、および該ウィンドウの中に表示されるコンテンツの選択肢の数を変更し、前記更新されたインジケーションは、観察されたユーザ挙動を反映する、前記システム。
【請求項９】
前記インジケーションは、スクリーンレイアウト、またはディスプレイスクリーンを含むデバイスに依存しない、請求項８に記載のシステム。
【請求項１０】
前記それぞれのコンテンツカテゴリのうちの対応する１つについて増加されたユーザ選好に基づいて、サイズが増加された前記複数のウィンドウのうちの所与の１つについて、該ウィンドウの場所が、前記ディスプレイスクリーン上のより目立つ場所へと移動される、請求項８に記載のシステム。
【請求項１１】
前記インジケーションはまた、前記更新されたインジケーションに関して先の観察されたユーザ挙動も反映する、請求項８に記載のシステム。
【請求項１２】
前記複数のウィンドウのうちの少なくともいくつかは、コンテンツの選択肢のリスティングを含み、前記少なくとも１つのウィンドウについてのコンテンツの選択肢の前記リスティングは、前記決定された数のコンテンツオプションを含む、請求項８に記載のシステム。
【請求項１３】
前記ウィンドウレイアウトマネジャは、前記複数のウィンドウのうちの所与の１つに関連付けられた前記コンテンツカテゴリのうちの所与の１つについての、前記ユーザ選好のインジケーション、または前記ユーザ選好の更新されたインジケーションに応答して、複数のウィンドウのうちの少なくとも所与の１つを、コンテンツの選択肢の前記リスティングが欠如しているタブに変化させることを含む、請求項１２に記載のシステム。
【請求項１４】
ユーザ選好の前記インジケーション、およびユーザ選好の前記更新されたインジケーションのうちの少なくとも１つは、所与の時間期間内に取引されたコンテンツの数、前記所与の時間期間内のコンテンツページ当たりのクリックの数、前記所与の時間期間内の前記コンテンツカテゴリのうちの特定の１つについての検索の数、前記所与の時間期間内にレビューされたコンテンツの数、およびユーザ地理人口統計のうちの、少なくとも１つを含む、請求項８に記載のシステム。
【請求項１５】
方法を実施するためのコンピュータ実行可能なコードを記憶した非一時的コンピュータ可読ストレージメディアであって、該方法は、
ディスプレイスクリーン上に表示される少なくとも１つのウィンドウのサイズ、および前記少なくとも１つのウィンドウに表示される異なるコンテンツカテゴリのうちのそれぞれ１つについてのコンテンツオプションの数を決定することであって、前記サイズおよびコンテンツオプションの前記数は、それぞれのコンテンツカテゴリについてのユーザ選好のインジケーションに応答して決定され、決定された結果、前記少なくとも１つのウィンドウの前記サイズ、および該ウィンドウの中に表示されるコンテンツオプションの前記数は、前記それぞれのコンテンツカテゴリのうちの対応する１つについてのユーザ選好の増加するレベルに応答して、増加する、前記決定することと、
前記少なくとも１つのウィンドウを含む複数のウィンドウを、前記ディスプレイスクリーン上に表示することであって、前記複数のウィンドウの各々は、前記異なるコンテンツカテゴリのうちのそれぞれ１つに対応し、前記少なくとも１つのウィンドウは、前記決定されたサイズおよび前記決定された数のコンテンツオプションで表示される、前記表示することと、
メモリデバイスからの、前記それぞれのコンテンツカテゴリについての前記ユーザ選好の更新されたインジケーションにアクセスすることであって、前記更新されたインジケーションは、観察されたユーザ挙動を反映する、前記アクセスすることと、
前記更新されたインジケーションに応答して、前記複数のウィンドウのうちの少なくとも１つのサイズ、および該ウィンドウの中に表示されるコンテンツの選択肢の数を変更することと、
を含む、前記非一時的コンピュータ可読ストレージメディア。
【手続補正２】
【補正対象書類名】明細書
【補正対象項目名】０００４
【補正方法】変更
【補正の内容】
【０００４】
この本原理の特徴によると、方法が提供される。上記方法は、ディスプレイスクリーン上に表示される少なくとも１つのウィンドウのサイズ、および上記少なくとも１つのウィンドウに表示される異なるコンテンツカテゴリのうちのそれぞれ１つについてのコンテンツオプションの数を決定することを含む。上記サイズおよびコンテンツオプションの上記数は、それぞれのコンテンツカテゴリについてのユーザ選好のインジケーションに応答して決定され、決定された結果、上記少なくとも１つのウィンドウの上記サイズ、およびそのウィンドウの中に表示されるコンテンツオプションの上記数は、上記それぞれのコンテンツカテゴリのうちの対応する１つについてのユーザ選好の増加するレベルに応答して、増加する。上記方法は、上記少なくとも１つのウィンドウを含む複数のウィンドウを、上記ディスプレイスクリーン上に表示することをさらに含み、上記複数のウィンドウの各々は、上記異なるコンテンツカテゴリのうちのそれぞれ１つに対応する。上記少なくとも１つのウィンドウは、上記決定されたサイズおよび上記決定された数のコンテンツオプションで表示される。上記方法はまた、メモリデバイスからの、上記それぞれのコンテンツカテゴリについての上記ユーザ選好の更新されたインジケーションにアクセスすることを含む。上記更新されたインジケーションは、観察されたユーザ挙動を反映する。上記方法は、上記更新されたインジケーションに応答して、上記複数のウィンドウのうちの少なくとも１つのサイズ、およびそのウィンドウの中に表示されるコンテンツ選択の上記数を変更することを追加的に含む。
【手続補正３】
【補正対象書類名】明細書
【補正対象項目名】０００６
【補正方法】変更
【補正の内容】
【０００６】
この本原理のさらに別の実施形態によると、方法を実施するためのコンピュータ実行可能なコードをそこに記憶させた非一時的コンピュータ可読ストレージメディアが提供される。上記方法は、ディスプレイスクリーン上に表示される少なくとも１つのウィンドウのサイズ、および上記少なくとも１つのウィンドウに表示される異なるコンテンツカテゴリのうちのそれぞれ１つについてのコンテンツオプションの数を決定することを含む。上記サイズおよびコンテンツオプションの上記数は、それぞれのコンテンツカテゴリについてのユーザ選好のインジケーションに応答して決定され、決定された結果、上記少なくとも１つのウィンドウの上記サイズ、およびそのウィンドウの中に表示されるコンテンツオプションの上記数は、上記それぞれのコンテンツカテゴリのうちの対応する１つについてのユーザ選好の増加するレベルに応答して、増加する。上記方法は、上記少なくとも１つのウィンドウを含む複数のウィンドウを、上記ディスプレイスクリーン上に表示することをさらに含み、上記複数のウィンドウの各々は、上記異なるコンテンツカテゴリのうちのそれぞれ１つに対応する。上記少なくとも１つのウィンドウは、上記決定されたサイズおよび上記決定された数のコンテンツオプションで表示される。上記方法はまた、メモリデバイスからの、上記それぞれのコンテンツカテゴリについての上記ユーザ選好の更新されたインジケーションにアクセスすることを含む。上記更新されたインジケーションは、観察されたユーザ挙動を反映する。上記方法は、上記更新されたインジケーションに応答して、上記複数のウィンドウのうちの少なくとも１つのサイズ、およびそのウィンドウの中に表示されるコンテンツ選択の上記数を変更することを追加的に含む。
【手続補正４】
【補正対象書類名】明細書
【補正対象項目名】００４９
【補正方法】変更
【補正の内容】
【００４９】
図７は、本原理の実施形態に従った、図５のユーザインターフェース５００の別の変更されたバージョン（以下では「変更されたユーザインターフェース」）７００を示す。変更されたユーザインターフェース７００は、時間を通して、カードがどのようにさらに変更され得るかを示し、ここで、映画カードは一層大きく、１２のタイトルを示す。「テレビ」カードは、３つのタイトルを含んで、なおスクリーン上のいくらかの空間を占めている。すなわち、カード／ウィンドウのサイズ（および／またはロケーション）は、ディジタルコンテンツサービスプロバイダを通して利用可能にされた、映画およびテレビサービスのより頻繁な使用を反映するように変化される。「マイライブラリ」および「マイオファー」のためのカードは、ユーザのプロファイルに従って、これらのサービスがまれにしか使われないので、最後には、「タブ」７２０にされる。本原理の趣旨を維持しながら、ユーザのプロファイルが本原理に従って変化するとき、カードはさらに調整され得ることが認識されるべきである。
【手続補正５】
【補正対象書類名】明細書
【補正対象項目名】００５２
【補正方法】変更
【補正の内容】
【００５２】
実施形態において、さまざまなユーザ入力のリストが考えられる。リストは、たとえば、制限はされないが、ランクの大きさの順に並べたリスト、ランクの大きさの順に並べた重み付けされたリスト、そのタイプのコンテンツの最後のＸのリストであって、ここでＸが、特定のカテゴリまたはその下での選定を所与の時間期間内にユーザが選定した回数を表す整数であるリスト、および日／時間／オーディエンス／その他によってカテゴライズされたコンテンツ選定のリストであってよい。実施形態において、リストは、以下の入力のうちの１または複数が考えられる、ランクの大きさの順に並べたリストである。
ａ．日ごと、週ごと、月ごとなどの、取引された（たとえば、購入された、または貸し出された）コンテンツの数
ｂ．日ごと、週ごと、月ごとなどの、ページ当たりのクリックの数
ｃ．日ごと、週ごと、月ごとなどの、そのコンテンツについての検索の数
ｄ．日ごと、週ごと、月ごとなどの、コンテンツレビュー（たとえば、Ｒｏｔｔｅｎ  Ｔｏｍａｔｏｅｓ（商標）からの「良い」）の数
ｅ．郵便番号による（地理）人口統計
当然ながら、前述の入力は、単に説明に役立つにすぎず、したがって、本原理の趣旨を維持しながら、他の入力がまた本原理の教示に従って使用されてもよい。
【手続補正６】
【補正対象書類名】明細書
【補正対象項目名】００６５
【補正方法】変更
【補正の内容】
【００６５】
説明に役立つ実施形態が、付属の図面を参照して本明細書で説明されてきたが、本原理は、それらの厳密な実施形態には制限されないこと、かつ本原理の範囲または趣旨から逸脱せずに、関連技術の当業者によってさまざまな変化および変更がもたらされてよいことが理解されるべきである。すべてのそのような変化および変更は、添付の特許請求の範囲に記載された通りに本原理の範囲内に含まれるように意図されている。
（付記１）
ディスプレイスクリーン上に表示される少なくとも１つのウィンドウのサイズ、および前記少なくとも１つのウィンドウに表示される異なるコンテンツカテゴリのうちのそれぞれ１つについてのコンテンツオプションの数を決定すること（４１０）であって、前記サイズおよびコンテンツオプションの前記数は、それぞれのコンテンツカテゴリについてのユーザ選好のインジケーションに応答して決定され、決定された結果、前記少なくとも１つのウィンドウの前記サイズ、および該ウィンドウの中に表示されるコンテンツオプションの前記数は、前記それぞれのコンテンツカテゴリのうちの対応する１つについてのユーザ選好の増加するレベルに応答して、増加する、前記決定すること（４１０）と、
前記少なくとも１つのウィンドウを含む複数のウィンドウを、前記ディスプレイスクリーン上に表示すること（４２０）であって、前記複数のウィンドウの各々は、前記異なるコンテンツカテゴリのうちのそれぞれ１つに対応し、前記少なくとも１つのウィンドウは、前記決定されたサイズおよび前記決定された数のコンテンツオプションで表示される、前記表示すること（４２０）と、
メモリデバイスからの、前記それぞれのコンテンツカテゴリについての前記ユーザ選好の更新されたインジケーションにアクセスすること（４３０）であって、前記更新されたインジケーションは、観察されたユーザ挙動を反映する、前記アクセスすること（４３０）と、
前記更新されたインジケーションに応答して、前記複数のウィンドウのうちの少なくとも１つのサイズ、および該ウィンドウの中に表示されるコンテンツの選択肢の数を変更すること（４４０）と、
を含む、方法。
（付記２）
前記インジケーションは、スクリーンレイアウト、またはディスプレイスクリーンを含むデバイスに依存しない、付記１に記載の方法。
（付記３）
前記それぞれのコンテンツカテゴリのうちの対応する１つについて増加されたユーザ選好に基づいて、サイズが増加された前記複数のウィンドウのうちの所与の１つについて、ウィンドウの場所が、前記ディスプレイスクリーン上のより目立つ場所へと移動される、付記１に記載の方法。
（付記４）
前記インジケーションはまた、前記更新されたインジケーションに関して先の観察されたユーザ挙動も反映する、付記１に記載の方法。
（付記５）
前記複数のウィンドウのうちの少なくともいくつかは、コンテンツの選択肢のリスティングを含み、前記少なくとも１つのウィンドウについてのコンテンツの選択肢の前記リスティングは、前記決定された数のコンテンツオプションを含む、付記１に記載の方法。
（付記６）
前記複数のウィンドウのうちの所与の１つに関連付けられた前記コンテンツカテゴリのうちの所与の１つについての、前記ユーザ選好のインジケーション、または前記ユーザ選好の更新されたインジケーションに応答して、複数のウィンドウのうちの少なくとも所与の１つを、コンテンツの選択肢の前記リスティングが欠如しているタブに変化させることを含む、付記５に記載の方法。
（付記７）
ユーザ選好の前記インジケーション、およびユーザ選好の前記更新されたインジケーションのうちの少なくとも１つは、所与の時間期間内に取引されたコンテンツの数、前記所与の時間期間内のコンテンツページ当たりのクリックの数、前記所与の時間期間内の前記コンテンツカテゴリのうちの特定の１つについての検索の数、前記所与の時間期間内にレビューされたコンテンツの数、およびユーザ地理人口統計のうちの、少なくとも１つを含む、付記１に記載の方法。
（付記８）
メディアプレゼンテーションデバイスにおけるシステムであって、該システムは、
少なくとも１つのウィンドウのサイズ、および前記少なくとも１つのウィンドウに表示される異なるコンテンツカテゴリのうちのそれぞれ１つについてのコンテンツオプションの数を決定するためのウィンドウレイアウトマネジャ（３９０）であって、前記サイズおよびコンテンツオプションの前記数は、それぞれのコンテンツカテゴリについてのユーザ選好のインジケーションに応答して決定され、決定された結果、前記少なくとも１つのウィンドウの前記サイズ、および該ウィンドウの中に表示されるコンテンツオプションの前記数は、前記それぞれのコンテンツカテゴリのうちの対応する１つについてのユーザ選好の増加するレベルに応答して、増加する、前記ウィンドウレイアウトマネジャ（３９０）と、
前記少なくとも１つのウィンドウを含む複数のウィンドウを表示するためのディスプレイスクリーン（３４０）であって、前記複数のウィンドウの各々は、前記異なるコンテンツカテゴリのうちのそれぞれ１つに対応し、前記少なくとも１つのウィンドウは、前記決定されたサイズおよび前記決定された数のコンテンツオプションで表示される、ディスプレイスクリーン（３４０）と、
を備え、前記ウィンドウレイアウトマネジャ（３９０）は、前記それぞれのコンテンツカテゴリについての前記ユーザ選好の更新されたインジケーションにアクセスし、前記更新されたインジケーションに応答して、前記複数のウィンドウのうちの少なくとも１つのサイズ、および該ウィンドウの中に表示されるコンテンツの選択肢の数を変更し、前記更新されたインジケーションは、観察されたユーザ挙動を反映する、前記システム。
（付記９）
前記インジケーションは、スクリーンレイアウト、またはディスプレイスクリーンを含むデバイスに依存しない、付記８に記載のシステム。
（付記１０）
前記それぞれのコンテンツカテゴリのうちの対応する１つについて増加されたユーザ選好に基づいて、サイズが増加された前記複数のウィンドウのうちの所与の１つについて、ウィンドウの場所が、前記ディスプレイスクリーン上のより目立つ場所へと移動される、付記８に記載のシステム。
（付記１１）
前記インジケーションはまた、前記更新されたインジケーションに関して先の観察されたユーザ挙動も反映する、付記８に記載のシステム。
（付記１２）
前記複数のウィンドウのうちの少なくともいくつかは、コンテンツの選択肢のリスティングを含み、前記少なくとも１つのウィンドウについてのコンテンツの選択肢の前記リスティングは、前記決定された数のコンテンツオプションを含む、付記８に記載のシステム。
（付記１３）
前記複数のウィンドウのうちの所与の１つに関連付けられた前記コンテンツカテゴリのうちの所与の１つについての、前記ユーザ選好のインジケーション、または前記ユーザ選好の更新されたインジケーションに応答して、複数のウィンドウのうちの少なくとも所与の１つを、コンテンツの選択肢の前記リスティングが欠如しているタブに変化させることを含む、付記１２に記載のシステム。
（付記１４）
ユーザ選好の前記インジケーション、およびユーザ選好の前記更新されたインジケーションのうちの少なくとも１つは、所与の時間期間内に取引されたコンテンツの数、前記所与の時間期間内のコンテンツページ当たりのクリックの数、前記所与の時間期間内の前記コンテンツカテゴリのうちの特定の１つについての検索の数、前記所与の時間期間内にレビューされたコンテンツの数、およびユーザ地理人口統計のうちの、少なくとも１つを含む、付記８に記載のシステム。
（付記１５）
方法を実施するためのコンピュータ実行可能なコードをそこに記憶させた非一時的コンピュータ可読ストレージメディアであって、該方法は、
ディスプレイスクリーン上に表示される少なくとも１つのウィンドウのサイズ、および前記少なくとも１つのウィンドウに表示される異なるコンテンツカテゴリのうちのそれぞれ１つについてのコンテンツオプションの数を決定することであって、前記サイズおよびコンテンツオプションの前記数は、それぞれのコンテンツカテゴリについてのユーザ選好のインジケーションに応答して決定され、決定された結果、前記少なくとも１つのウィンドウの前記サイズ、および該ウィンドウの中に表示されるコンテンツオプションの前記数は、前記それぞれのコンテンツカテゴリのうちの対応する１つについてのユーザ選好の増加するレベルに応答して、増加する、前記決定することと、
前記少なくとも１つのウィンドウを含む複数のウィンドウを、前記ディスプレイスクリーン上に表示することであって、前記複数のウィンドウの各々は、前記異なるコンテンツカテゴリのうちのそれぞれ１つに対応し、前記少なくとも１つのウィンドウは、前記決定されたサイズおよび前記決定された数のコンテンツオプションで表示される、前記表示することと、
メモリデバイスからの、前記それぞれのコンテンツカテゴリについての前記ユーザ選好の更新されたインジケーションにアクセスすることであって、前記更新されたインジケーションは、観察されたユーザ挙動を反映する、前記アクセスすることと、
前記更新されたインジケーションに応答して、前記複数のウィンドウのうちの少なくとも１つのサイズ、および該ウィンドウの中に表示されるコンテンツの選択肢の数を変更することと、
を含む、前記非一時的コンピュータ可読ストレージメディア。
【国際調査報告】
2016528585.tif 000010
2016528585.tif 000011
2016528585.tif 000012